(57)【要約】【課題】通信品質の低下を抑制できるシールドコネクタ、及びこのシールドコネクタを備えるコネクタ付きシールドケーブルを提供する。【解決手段】シールドケーブルの端部に接続されるシールドコネクタであって、インナーハウジングと、シールドシェルと、シールドケーブルの端部において露出する一対の通信線の端部を一括して覆うシールド部材とを備え、シールド部材は、一対の通信線の一面側に位置する当接面部と、当接面部の両側縁にそれぞれ設けられ、一対の通信線の並列方向の両側に位置する一対の側面部と、一対の通信線を挟んで当接面部と対向する対向面部と、一対の通信線の間に介在する仕切り部と、を有するシールドコネクタ。【選択図】図３
2017126499.tif 000002
【特許請求の範囲】
【請求項１】
少なくとも一対の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容するシールドシェルと、
前記シールドケーブルの端部において露出する前記一対の通信線の端部を一括して覆うシールド部材と、を備え、
前記シールド部材は、導電性の板材で形成され、
前記シールド部材は、
前記一対の通信線の並列方向に沿って設けられ、前記一対の通信線の一面側に位置する当接面部と、
前記当接面部の両側縁にそれぞれ設けられ、前記一対の通信線の並列方向の両側に位置する一対の側面部と、
前記両側面部に連接して設けられ、前記一対の通信線を挟んで前記当接面部と対向する対向面部と、
前記対向面部及び前記当接面部の少なくとも一方に設けられ、前記一対の通信線の間に介在する仕切り部と、を有するシールドコネクタ。
【請求項２】
前記シールド部材は、１つの前記板材から形成されており、
前記当接面部の両側縁から折り曲げられて前記一対の側面部が形成され、
前記両側面部のそれぞれの端縁から前記並列方向の中央に向かって突き合うように折り曲げられて前記対向面部が形成され、
前記対向面部の突き合わせ端から前記当接面部に向かって延びるように折り込まれて前記仕切り部が形成されている請求項１に記載のシールドコネクタ。
【請求項３】
前記仕切り部の先端に爪部を有し、
前記当接面部に前記爪部が挿通される嵌合孔が形成されている請求項２に記載のシールドコネクタ。
【請求項４】
前記シールド部材は、第１シールド片と、前記第１シールド片に嵌め合わされる第２シールド片とを有し、
前記第１シールド片及び前記第２シールド片はそれぞれ１つの前記板材から形成されており、
前記第１シールド片は、前記当接面部と、前記当接面部の両側縁から折り曲げられて形成された一対の第１側面部とを有し、
前記第２シールド片は、前記対向面部と、前記対向面部の両側縁から折り曲げられて形成され、前記第１シールド片の前記第１側面部と重なり合う一対の第２側面部とを有し、
前記第１側面部と前記第２側面部とで前記側面部が構成され、
前記対向面部及び前記当接面部の少なくとも一方に前記並列方向の中央部が折り返されて二重になった前記仕切り部が一体に形成されている請求項１に記載のシールドコネクタ。
【請求項５】
前記第１シールド片及び前記第２シールド片のうち、一方の前記第１側面部又は前記第２側面部の先端に爪部を有し、他方の前記対向面部又は前記当接面部に前記爪部が挿通される嵌合孔が形成されている請求項４に記載のシールドコネクタ。
【請求項６】
前記第１シールド片の前記第１側面部及び前記第２シールド片の前記第２側面部のいずれか一方に他方に向かって突出する突起を有し、他方に前記突起が嵌合される嵌合孔が形成されている請求項４に記載のシールドコネクタ。
【請求項７】
少なくとも一対の通信線を含む電線と、前記電線の周囲を一括して被覆するシールド導体とを有するシールドケーブルと、前記シールドケーブルの端部に接続されるシールドコネクタとを備えるコネクタ付きシールドケーブルであって、
前記シールドコネクタが、請求項１〜請求項６のいずれか１項に記載のシールドコネクタであるコネクタ付きシールドケーブル。
【発明の詳細な説明】
【技術分野】
【０００１】
本発明は、シールドケーブルの端部に接続されるシールドコネクタ、及びこのシールドコネクタを備えるコネクタ付きシールドケーブルに関する。特に、通信品質の低下を抑制できるシールドコネクタに関する。
【背景技術】
【０００２】
従来、自動車などの車両に搭載された電装品（ナビゲーション装置、ＥＴＣ（Ｅｌｅｃｔｒｏｎｉｃ  Ｔｏｌｌ  Ｃｏｌｌｅｃｔｉｏｎ）装置、モニタなど）と外部機器（カメラなど）との間や、電装品間の通信にシールドケーブルが利用されている。通信用のシールドケーブルは、一般に、通信線を含む電線と、電線の周囲を一括して被覆するシールド導体と、シールド導体の外周を被覆するシースとを有する。電線は、導体とその外周に絶縁被覆を有する。
【０００３】
通信線には、一般に、一対の通信線を撚り合わせたツイストペアケーブルが利用されている。特に、高速通信用の通信線の場合は、ノイズ対策として、一対の通信線の周囲を個別にシールド層で被覆したシールド付きツイストペアケーブル（ＳＴＰ：Ｓｈｉｅｌｄｅｄ  Ｔｗｉｓｔｅｄ  ＰａｉｒＣａｂｌｅ）が広く利用されている。
【０００４】
通常、シールドケーブルの端末には、シールドコネクタが取り付けられる。シールドコネクタは、シースを除去してシールド導体から電線を露出させたシールドケーブルの端部に接続することで、シールドケーブルに取り付けられる。シールドコネクタは、電線の導体端部に接続される端子を保持するインナーハウジングと、インナーハウジング及びシールドケーブルの端部を収容するシールドシェルとを備える。シールドシェルには、シールド導体が電気的に接続される（特許文献１を参照）。
【先行技術文献】
【特許文献】
【０００５】
【特許文献１】特開２００９−３７８２６号公報
【発明の概要】
【発明が解決しようとする課題】
【０００６】
シールドコネクタが接続されるシールドケーブルの端部では、シースを除去し、シールド導体から電線の端部を露出させると共に、インナーハウジングの端子に電線の導体端部を接続するために、電線の端部の撚り戻しが行われる。その際、通信線の端部において、その周囲に設けられたシールド層も除去されることになる。そのため、通信線端部において、シールド導体・シールド層の除去と端部の撚り戻しによりインピーダンスが変わる。よって、ケーブル端部でのインピーダンスの不整合により、信号の反射が発生し、通信品質の低下を招く虞がある。
【０００７】
本発明は上記事情に鑑みてなされたもので、本発明の目的の一つは、通信品質の低下を抑制できるシールドコネクタ、及びこのシールドコネクタを備えるコネクタ付きシールドケーブルを提供することにある。
【課題を解決するための手段】
【０００８】
本発明の一態様に係るシールドコネクタは、少なくとも一対の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容するシールドシェルと、前記シールドケーブルの端部において露出する前記一対の通信線の端部を一括して覆うシールド部材とを備える。前記シールド部材は、導電性の板材で形成され、当接面部と、一対の側面部と、対向面部と、仕切り部とを有する。前記当接面部は、前記一対の通信線の並列方向に沿って設けられ、前記一対の通信線の一面側に位置する。前記側面部は、前記当接面部の両側縁にそれぞれ設けられ、前記一対の通信線の並列方向の両側に位置する。前記対向面部は、前記両側面部に連接して設けられ、前記一対の通信線を挟んで前記当接面部と対向する。前記仕切り部は、前記対向面部及び前記当接面部の少なくとも一方に設けられ、前記一対の通信線の間に介在する。
【０００９】
本発明の一態様に係るコネクタ付きシールドケーブルは、少なくとも１本の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記本発明の一態様に係るシールドコネクタである。
【発明の効果】
【００１０】
上記シールドコネクタ及びコネクタ付きシールドケーブルは、通信品質の低下を抑制できる。
【図面の簡単な説明】
【００１１】
【図１】実施形態１のコネクタ付きシールドケーブルを後方から見た概略斜視図である。
【図２】実施形態１のシールドコネクタを分解して示す概略分解斜視図である。
【図３】実施形態１のシールドコネクタにおけるシールド部材が通信線対の端部に組み付けられた状態を示す概略断面図である。
【図４】実施形態１のシールドコネクタにおけるシールド部材の組み付け後の形態を示す概略斜視図である。
【図５】実施形態１のシールドコネクタにおけるシールド部材の組み付け前の形態を示す概略斜視図である。
【図６】実施形態１のシールドコネクタにおけるシールド部材の組み付け工程を示す概略図である。
【図７】実施形態１のシールドコネクタにおけるインナーハウジングの概略正面図である。
【図８】実施形態２のシールドコネクタを分解して示す概略分解斜視図である。
【図９】実施形態２のシールドコネクタにおけるシールド部材が通信線対の端部に組み付けられた状態を示す概略断面図である。
【図１０】実施形態２のシールドコネクタにおけるシールド部材の組み付け後の形態を示す概略斜視図である。
【図１１】実施形態２のシールドコネクタにおけるシールド部材の組み付け前の形態を示す概略斜視図である。
【図１２】実施形態２のシールドコネクタにおけるシールド部材の組み付け工程を示す概略図である。
【図１３】変形例２−１のシールドコネクタにおけるシールド部材が通信線対の端部に組み付けられた状態を示す概略断面図である。
【図１４】変形例２−１のシールドコネクタにおけるシールド部材の組み付け後の形態を示す概略斜視図である。
【図１５】変形例２−１のシールドコネクタにおけるシールド部材の組み付け前の形態を示す概略斜視図である。
【発明を実施するための形態】
【００１２】
［本発明の実施形態の説明］
最初に本発明の実施態様を列記して説明する。
【００１３】
（１）本発明の一態様に係るシールドコネクタは、少なくとも一対の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容するシールドシェルと、前記シールドケーブルの端部において露出する前記一対の通信線の端部を一括して覆うシールド部材とを備える。前記シールド部材は、導電性の板材で形成され、当接面部と、一対の側面部と、対向面部と、仕切り部とを有する。前記当接面部は、前記一対の通信線の並列方向に沿って設けられ、前記一対の通信線の一面側に位置する。前記側面部は、前記当接面部の両側縁にそれぞれ設けられ、前記一対の通信線の並列方向の両側に位置する。前記対向面部は、前記両側面部に連接して設けられ、前記一対の通信線を挟んで前記当接面部と対向する。前記仕切り部は、前記対向面部及び前記当接面部の少なくとも一方に設けられ、前記一対の通信線の間に介在する。
【００１４】
上記シールドコネクタによれば、シールドケーブルの端部において露出する通信線対の端部の周囲がシールド部材で覆われる。したがって、ケーブル端部でのインピーダンスの不整合を小さくでき、通信品質の低下を抑制できる。また、シールド部材が通信線の間に介在する仕切り部を有することで、通信線同士の間隔を一定に保つことができ、これによって通信線対のインピーダンスを低くすることができる。
【００１５】
その他、シールド部材で通信線対の端部の周囲が覆われることによって、電磁波ノイズの侵入や漏洩を抑制できる。シールドケーブルが複数の通信線対を有する場合、特定の通信線対にのみシールド部材を取り付けることが可能である。
【００１６】
（２）上記シールドコネクタの一形態として、前記シールド部材は、１つの前記板材から形成されていることが挙げられる。その場合、前記当接面部の両側縁から折り曲げられて前記一対の側面部が形成され、前記両側面部のそれぞれの端縁から前記並列方向の中央に向かって突き合うように折り曲げられて前記対向面部が形成され、前記対向面部の突き合わせ端から前記当接面部に向かって延びるように折り込まれて前記仕切り部が形成されていることが挙げられる。
【００１７】
上記形態によれば、シールド部材が１つの板材から形成されていることで、製造性に優れる。シールド部材が上記のように板材を折り曲げて形成されていることで、シールド部材を容易に形成でき、シールド部材を通信線対に容易に組み付けることができる。
【００１８】
（３）上記（２）に記載のシールドコネクタの一形態として、前記仕切り部の先端に爪部を有し、前記当接面部に前記爪部が挿通される嵌合孔が形成されていることが挙げられる。
【００１９】
上記形態によれば、仕切り部の先端に設けられた爪部と当接面部に形成された嵌合孔との係合により、仕切り部が当接面部に接続され、通信線対の端部からシールド部材が脱落し難い。
【００２０】
（４）上記シールドコネクタの一形態として、前記シールド部材は、第１シールド片と、前記第１シールド片に嵌め合わされる第２シールド片とを有し、前記第１シールド片及び前記第２シールド片はそれぞれ１つの前記板材から形成されていることが挙げられる。その場合、前記第１シールド片は、前記当接面部と、前記当接面部の両側縁から折り曲げられて形成された一対の第１側面部とを有し、前記第２シールド片は、前記対向面部と、前記対向面部の両側縁から折り曲げられて形成され、前記第１シールド片の前記第１側面部と重なり合う一対の第２側面部とを有することが挙げられる。前記第１側面部と前記第２側面部とで前記側面部が構成される。前記対向面部及び前記当接面部の少なくとも一方に前記並列方向の中央部が折り返されて二重になった前記仕切り部が一体に形成されている。
【００２１】
上記形態によれば、第１シールド片と第２シールド片とでシールド部材を構成できる。第１シールド片の第１側面部と第２シールド片の第２側面部とが互いに重なり合うように第１シールド片と第２シールド片とを嵌め合わせることで、シールド部材を容易に形成できる。このシールド部材では、第１シールド片の第１側面部と第２シールド片の第２側面部とが重なり合って側面部が構成されるため、側面部において板材が二重になっており、シールド性が高い。また、仕切り部が折り返されて二重になっており、通信線対のインピーダンスをより低減できる。
【００２２】
（５）上記（４）に記載のシールドコネクタの一形態として、前記第１シールド片及び前記第２シールド片のうち、一方の前記第１側面部又は前記第２側面部の先端に爪部を有し、他方の前記対向面部又は前記当接面部に前記爪部が挿通される嵌合孔が形成されていることが挙げられる。
【００２３】
上記形態によれば、第１側面部又は第２側面部の先端に設けられた爪部と対向面部又は当接面部に形成された嵌合孔との係合により、第１シールド片と第２シールド片とが互いに位置決めされて接続される。これにより第１シールド片と第２シールド片とが外れ難く、通信線対の端部からシールド部材が脱落し難い。
【００２４】
（６）上記（４）に記載のシールドコネクタの一形態として、前記第１シールド片の前記第１側面部及び前記第２シールド片の前記第２側面部のいずれか一方に他方に向かって突出する突起を有し、他方に前記突起が嵌合される嵌合孔が形成されていることが挙げられる。
【００２５】
上記形態によれば、第１側面部及び第２側面部の一方に設けられた突起と他方に形成された嵌合孔との係合により、第１シールド片と第２シールド片とが互いに位置決めされて接続される。これにより第１シールド片と第２シールド片とが外れ難く、通信線対の端部からシールド部材が脱落し難い。また、第１シールド片と第２シールド片とを嵌め合わせた際に突起が嵌合孔に嵌合されることから、シールド部材の組み立てが容易である。
【００２６】
（７）本発明の一態様に係るコネクタ付きシールドケーブルは、少なくとも一対の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記（１）〜（６）のいずれか１つに記載のシールドコネクタである。
【００２７】
上記コネクタ付きシールドケーブルによれば、本発明の一態様に係るシールドコネクタを備えることで、シールドケーブルの端部において露出する通信線対の端部の周囲がシールド部材で覆われる。したがって、ケーブル端部でのインピーダンスの不整合を小さくでき、通信品質の低下を効果的に抑制できる。
【００２８】
［本発明の実施形態の詳細］
本発明の実施形態に係るシールドコネクタ及びコネクタ付きシールドケーブルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２９】
［実施形態１］
＜コネクタ付きシールドケーブル＞
図１〜図７を参照して、実施形態１のシールドコネクタ及びコネクタ付きシールドケーブルを説明する。実施形態１のコネクタ付きシールドケーブル１は、図１に示すように、シールドケーブル１００と、シールドケーブル１００の端部に接続されるシールドコネクタ１０とを備える。実施形態１のシールドコネクタ１０は、図２に示すように、インナーハウジング２０と、シールドシェル４０とを備える。実施形態１のシールドコネクタ１０の特徴の１つは、シールドケーブル１００の端部において露出する通信線対１２１，１２２の端部を一括して覆うシールド部材６０を備える点にある。まず、シールドケーブル１００の構成を説明し、次いで、シールドコネクタ１０の構成について詳しく説明する。以下の説明では、シールドコネクタ１０のインナーハウジング２０側を前（正面）、シールドケーブル１００側を後とし、シールドシェル４０のベース４１（底板部４２）側を下、カバー５１（上板部５２）側を上として説明する。
【００３０】
＜シールドケーブル＞
シールドケーブル１００は、図２に示すように、複数の電線１１０と、これら電線１１０の周囲を一括して被覆するシールド導体１３０と、シールド導体１３０の外周を被覆するシース１４０とを有する。シールド導体１３０は、銅やアルミニウムといった導電性金属の編組線で形成され、シース１４０は、絶縁性の樹脂やゴムなどで形成されている。シールドケーブル１００の端部では、シース１４０が除去されると共に、シールド導体１３０の端部がシース１４０上に折り返され、シールド導体１３０から電線１１０の端部が露出している。複数の電線１１０の端部は撚り戻されて、並列に分岐されている。
【００３１】
シールドケーブル１００は、図３に示すように、１０本の電線１１０を有する。具体的には、高速通信用として、一対の通信線１２１，１２２とドレイン線１２３とを２組（計６本）、低速通信用として、一対の通信線１２４，１２５を１組（計２本）、並びに、電源線１２６（１本），グランド線１２７（１本）を有する。通信線１２１，１２２は、ＵＳＢ（Ｕｎｉｖｅｒｓａｌ  Ｓｅｒｉａｌ  Ｂｕｓ）３．０規格の通信線（最大通信速度：５Ｇｂｐｓ）であり、シールド層（図示せず）が設けられたドレイン線１２３付きの差動ペア・ケーブルである。通信線１２４，１２５は、ＵＳＢ２．０規格の通信線（最大通信速度：４８０Ｍｂｐｓ）であり、ツイストペアケーブルである。電線１１０のうち、ドレイン線１２３以外は、導体１１１の外周に絶縁被覆１１２を有する。シールドケーブル１００の端部では、電線１１０の端部が上下に５本ずつ分かれて横並びに配置されており、図２に示すように電線１１０の先端で導体１１１の端部が露出している。図３は、シールドケーブル１００（電線１１０）の先端側から見た図である。
【００３２】
シールドケーブル１００において、一対の通信線１２１，１２２は、その周囲に導電性の箔（例、銅箔やアルミニウム箔）を巻き付けてシールド層（図示せず）が被覆されており、シールド層にドレイン線１２３が接触するように配置されている。シールドケーブル１００の端部では、電線１１０を撚り戻す際にシールド層が除去されており、通信線１２１，１２２の端部がシールド層で覆われていない。
【００３３】
＜シールドコネクタ＞
シールドコネクタ１０は、図２に示すように、インナーハウジング２０と、シールドシェル４０と、シールド部材６０とを備える。以下、シールドコネクタ１０の特徴部分であるシールド部材６０について先に説明し、シールドコネクタ１０のその他の構成部材については後に説明する。
【００３４】
（シールド部材）
シールド部材６０は、図２，図３に示すように、シールドケーブル１００の端部において、シールド導体１３０やシース１４０から露出する複数の電線１１０の端部のうち、シールド層が除去された通信線対１２１，１２２の端部の周囲を一括して覆う部材である。図３は、通信線対１２１，１２２の端部にシールド部材６０が組み付けられた後の状態を示している。図４〜図６も参照しつつ、シールド部材６０について説明する。
【００３５】
シールド部材６０は、導電性の板材で形成され、図３に示すように、当接面部６２と一対の側面部６３と対向面部６６と仕切り部６８とを有する。ここで、当接面部６２は、通信線対１２１，１２２の並列方向（通信線１２１，１２２が並ぶ方向）に沿って設けられ、通信線対１２１，１２２の一面側に位置する部分である。側面部６３は、当接面部６２の両側縁にそれぞれ設けられ、通信線対１２１，１２２の並列方向の両側に位置する部分である。対向面部６６は、両側面部６３に連接して設けられ、通信線対１２１，１２２を挟んで当接面部６２と対向する部分である。仕切り部６８は、通信線対１２１，１２２の間に介在する部分である。シールド部材６０では、仕切り部６８が対向面部６６に設けられており、対向面部６６から当接面部６２に向かって延びるように仕切り部６８が形成されている。
【００３６】
図２，図３に例示するシールド部材６０は、図４，図５に示すように、１つの導電性の板材から形成されており、板材を折り曲げて組み立てられる。具体的には、当接面部６２の両側縁から折り曲げられて一対の側面部６３が形成され、両側面部６３のそれぞれの端縁から並列方向の中央に向かって突き合うように折り曲げられて対向面部６６が形成されている。また、対向面部６６の突き合わせ端のそれぞれから当接面部６２に向かって延びるように折り込まれて仕切り部６８が形成されており、仕切り部６８が二重になっている。この例では、側面部６３と対向面部６６と仕切り部６８がそれぞれ平面で構成されているが、これらのうち、いずれか１つが通信線１２１，１２２の周面に沿った曲面で構成されていてもよい。図４は、通信線対１２１，１２２の端部に組み付けた後のシールド部材６０の形態を示している。図５は、通信線対１２１，１２２の端部に組み付ける前のシールド部材６０の形態を示し、図５では、両側面部６３が開いた状態になっている。
【００３７】
シールド部材６０は、仕切り部６８の先端に爪部６０ｆを有し、当接面部６２に爪部６０ｆが挿通される嵌合孔６０ｈが形成されている。爪部６０ｆは、図５に示すように、仕切り部６８の端縁から突出して形成されている。シールド部材６０の組み付け後、図３に示すように爪部６０ｆが嵌合孔６０ｈに挿通された状態で当接面部６２の外面に接するように折り曲げられ、爪部６０ｆが嵌合孔６０ｈから抜けないようになっている。
【００３８】
（シールド部材の組み付け方法）
図６を参照して、シールド部材６０の組み付け方法の一例を説明する。ここでは、通信線対１２１，１２２の並列方向を横方向（左右方向）とし、その方向に直交する方向を縦方向（上下方向）とする。まず、導電性の板材を切断して所定の形状に加工したシールド部材用板材を用意する（図５参照）。図６の上図に示すように、シールド部材６０の当接面部６２にあたる部分が通信線対１２１，１２２に沿って接するように、シールド部材用板材（当接面部６２）を通信線対１２１，１２２の一面側（図６では、下面側）に位置するように配置する。次に、図６の中図に示すように、シールド部材用板材を折り曲げて、側面部６３と対向面部６６と仕切り部６８の各部分を形成する。側面部６３は、当接面部６２の左右両側縁からそれぞれ直角に折り曲げて、通信線対１２１，１２２の左右両側に対向して位置するように形成する。対向面部６６は、両側面部６３のそれぞれの上端縁から左右方向の中央で突き合うように直角に折り曲げて、通信線対１２１，１２２を挟んで当接面部６２と対向するように形成する。仕切り部６８は、対向面部６６の突き合わせ端の双方から当接面部６２に向かって下方に延びるように直角に折り込んで、通信線対１２１，１２２の間に介在するように形成する。最後に、図６の下図に示すように、各仕切り部６８の先端に設けた両爪部６０ｆを当接面部６２に形成した嵌合孔６０ｈに挿通し、両爪部６０ｆの先端を左右外側に折り曲げて係合する。以上により、シールド部材６０を組み立てることができ、シールドケーブル１００の端部において、露出する通信線対１２１，１２２の端部にシールド部材６０を組み付けることができる（図２，図３参照）。
【００３９】
（シールド部材の形成材料）
シールド部材６０を形成する導電性の板材としては、銅やアルミニウムといった導電性金属の板材が利用できる。板材のサイズは、通信線対１２１，１２２の端部の周囲を一括して覆うと共に、通信線対１２１，１２２の間に仕切り部６８が形成されるように適宜設定すればよい。例えば、通信線１２１，１２２の径、通信線対１２１，１２２の端部間の離間距離（横方向の長さ）、及び通信線対１２１，１２２の端部の露出長などに応じて適宜設定することが挙げられる。板材の厚さは、特に限定されないが、例えば０．１ｍｍ以上０．３ｍｍ以下、好ましくは０．１５ｍｍ以上０．２５ｍｍ以下とすることが挙げられる。板材の厚さを０．１ｍｍ以上とすることで、シールド性を確保し易い。一方、板材の厚さが厚すぎると、通信線対１２１，１２２の端部にシールド部材６０を組み付ける際、周りの電線１１０の端部と干渉する問題が生じ得る（図２，図３参照）。板材の厚さを０．３ｍｍ以下とすることで、シールド部材６０をコンパクトにできる他、折り曲げし易く、通信線対１２１，１２２の端部にシールド部材６０を組み付け易い。
【００４０】
（シールド部材による作用効果）
シールド部材６０を備える実施形態１のシールドコネクタ１０、並びにこのシールドコネクタ１０を備えるコネクタ付きシールドケーブル１は、次の効果を奏する。
【００４１】
（１）シールドケーブル１００の端部において、露出する通信線対１２１，１２２の端部の周囲が全周に亘ってシールド部材６０で覆われる。したがって、通信線対１２１，１２２の端部が露出するケーブル端部での、インピーダンスの不整合を小さくでき、通信品質の低下を抑制できる。さらに、シールド部材６０に通信線１２１，１２２の間に介在する仕切り部６８が設けられていることで、通信線対１２１，１２２のインピーダンスを低くできる。シールド部材６０では、対向面部６６の突き合わせ端のそれぞれから仕切り部６８が形成され、仕切り部６８が二重になっているため、通信線対１２１，１２２のインピーダンスをより低減できる。
【００４２】
（２）通信線対１２１，１２２の端部の周囲がシールド部材６０で覆われることによって、電磁波ノイズの侵入や漏洩を抑制できる。
【００４３】
（３）シールド部材６０は、シールドケーブル１００の端部において露出する複数の電線１１０のうち、特定の通信線対１２１、１２２に選択的に組み付けることが可能である。シールド部材６０は、１つの導電性の板材から形成され、板材を折り曲げて容易に組み立てられることから、通信線対１２１、１２２に容易に組み付けることが可能である。
【００４４】
（４）仕切り部６８の先端に設けられた爪部６０ｆと当接面部６２に形成された嵌合孔６０ｈとの係合により、仕切り部６８と当接面部６２とが強固に接続され、通信線対１２１，１２２の端部からシールド部材６０が脱落することを抑制できる。
【００４５】
以下、シールドコネクタ１０のその他の構成部材について説明する。
【００４６】
（インナーハウジング）
インナーハウジング２０は、図２に示すように電線１１０の導体１１１端部に接続される端子２２を保持する部材であり、絶縁性樹脂で形成されている。インナーハウジング２０は、端子２２を収納する端子孔２３が形成された本体部２１と、電線１１０の導体１１１端部が配置される配置部３１とを有する。インナーハウジング２０の本体部２１には、上下に５個ずつ端子孔２３が並んで形成されており（図７を参照）、各端子孔２３に端子２２が挿入されて収納されている。配置部３１は、本体部２１の上下方向の中間位置から後方に向かって延出するように、本体部２１と一体に設けられている。配置部３１には、導体１１１端部を配置するための配置溝が形成されている。
【００４７】
〈端子〉
端子２２は、導電性金属からなるメス型端子であり、本体部２１の端子孔２３に収納される角筒状の部分と、その後方に一体に形成されて導体１１１端部と電気的に接続される板状の部分とを有する。この板状部分は、配置部３１の配置溝に沿って配置される。導体１１１端部は、端子２２の板状部分に載置され、半田付けにより電気的に接続される。導体１１１端部と端子２２との接続は、通信線対１２１，１２２の端部にシールド部材６０を組み付けた後に行うとよい。インナーハウジング２０は、電線１１０の導体１１１端部に接続された端子２２が端子孔２３に収納され、シールドケーブル１００の端部に取り付けられた状態で、後述するベース４１に配置される。
【００４８】
〈凸部〉
インナーハウジング２０は、本体部２１及び配置部３１の各側面から突出する凸部２５を有する（図２では、左側面のみ示しているが、反対側の右側面も同じである）。各凸部２５は、インナーハウジング２０の前後方向に並んで設けられており、それぞれ下方に向かってテーパ状に形成されている。各凸部２５は、後述するベース側板部４３に形成された各係合孔４５に係合される。
【００４９】
（シールドシェル）
シールドシェル４０は、図２に示すようにインナーハウジング２０及びシールド部材６０を含むシールドケーブル１００の端部を収容する部材であり、導電性金属で形成されている。シールドシェル４０は、前方から順にインナーハウジング２０を収容するハウジング収容部と、露出する電線１１０の端部を収容する電線収容部と、シールドケーブル１００の端部が挿入されるケーブル挿入部４０ｃとを有する。ケーブル挿入部４０ｃには、シールドケーブル１００の外径に対応した形状の開口が形成されている。シールドシェル４０は、インナーハウジング２０の下側に配置されるベース４１と、インナーハウジング２０の上側に配置され、ベース４１の上方から覆うように嵌合されるカバー５１とで構成されている。
【００５０】
（ベース）
ベース４１は、図２に示すように、インナーハウジング２０の下面を覆い、ケーブル挿入部４０ｃに向かって延伸される底板部４２と、インナーハウジング２０の両側面を覆うように底板部４２の両側から立設する一対のベース側板部４３とを有する。ベース側板部４３は、ケーブル挿入部４０ｃに向かって一連に形成されている。ベース４１は、導電性金属の板材を所定の形状に切断して折り曲げることにより形成されている。
【００５１】
〈係合孔〉
ベース４１のベース側板部４３には、インナーハウジング２０の凸部２５が係合される係合孔４５が形成されている。インナーハウジング２０をベース４１の上方から嵌め込むことで、インナーハウジング２０の凸部２５と、ベース側板部４３の係合孔４５とがそれぞれ係合して、インナーハウジング２０がベース４１に位置決めして固定される。
【００５２】
〈突起〉
また、ベース４１は、ベース側板部４３の外面から突出する突起４４を有する。突起４４は、後述するカバー側板部５３に形成された嵌合孔５４に嵌合される。この突起４４は、打ち出し（叩き出し）により形成され、下方に向かって膨出するようにドーム状に形成されている。ベース側板部４３の外面からの突起４４の突出量は、カバー側板部５３の厚さ以下であり、突起４４は嵌合孔５４内に収まるようになっている。
【００５３】
（カバー）
カバー５１は、図２に示すように、インナーハウジング２０の上面を覆い、ケーブル挿入部４０ｃに向かって延伸される上板部５２と、ベース側板部４３の外側に重複するように上板部５２の両側から立設する一対のカバー側板部５３とを有する。カバー側板部５３は、ベース側板部４３の外側に重複して、ベース側板部４３の係合孔４５を覆う（図１を参照）。カバー側板部５３は、ケーブル挿入部４０ｃに向かって一連に形成されている。カバー５１は、ベース４１と同様に、導電性金属の板材を所定の形状に切断して折り曲げることにより形成されている。カバー５１は、インナーハウジング２０及びシールドケーブル１００（電線１１０）の端部がベース４１に配置された状態で、ベース４１の上方から取り付けられる。
【００５４】
〈嵌合孔〉
カバー５１のカバー側板部５３には、ベース側板部４３の突起４４が嵌合される嵌合孔５４が形成されている。ベース４１にカバー５１を嵌合したとき（図１を参照）、ベース側板部４３の突起４４とカバー側板部５３の嵌合孔５４とが嵌合することで、カバー５１がベース４１に位置決めして嵌合される。
【００５５】
〈バレル部・突出片〉
シールドケーブル１００の端部は、図２に示すように、折り返されたシールド導体１３０の端部の一部がシールドシェル４０内に収容され、残部がケーブル挿入部４０ｃから露出するように挿入される。ベース４１側のケーブル挿入部４０ｃには、後方に突出するバレル部８０が一体に形成されている。バレル部８０は、Ｕ字状をなし、両端から延びる一対の圧着片８１，８２を有する。バレル部８０の上方からシールド導体１３０の端部を挿入し、圧着片８１，８２をカシメることで、シールド導体１３０の端部に圧着片８１，８２が圧着される（図１を参照）。バレル部８０は、圧着片８１，８２をカシメてシールド導体１３０の端部に圧着したとき、圧着片８１，８２が互いに噛み合って円筒状をなすように形成されている。具体的には、圧着片８１は、テーパ状の突片を有し、圧着片８２は、圧着片８１の突片が嵌合するＶ状の切欠を有する二股状の突片を有する。
【００５６】
さらに、カバー５１側のケーブル挿入部４０ｃには、バレル部８０に対向するように後方に突出する突出片８５が一体に形成されている。突出片８５は、シールドケーブル１００の外周面に沿うように円弧状に形成されている。突出片８５は、圧着片８１，８２をカシメてバレル部８０を圧着したとき（図１を参照）、圧着片８１，８２の内側に位置して押さえ付けられ、シールド導体１３０の端部に接触する。バレル部８０がシールド導体１３０の端部に圧着されることで、バレル部８０（圧着片８１，８２）及び突出片８５がシールド導体１３０の端部に接触し、シールドシェル４０とシールド導体１３０とが電気的に接続される。
【００５７】
（シールドコネクタの組み立て方法）
シールドコネクタ１０の組み立て方法の一例を説明する。最初に、図２に示すように、シールドケーブル１００の端部処理を行い、シールド導体１３０から複数の電線１１０の端部を露出させると共に、その端部を撚り戻して各電線１１０を分離する。次に、上述したように、シールドケーブル１００の端部において露出する複数の電線１１０のうち、通信線対１２１，１２２の端部にシールド部材６０を組み付ける。その後、通信線対１２１，１２２を含む各電線１１０の導体１１１の端部に端子２２を接続し、各端子２２をインナーハウジング２０（本体部２１）の端子孔２３に収納して、シールドケーブル１００の端部にインナーハウジング２０を取り付ける。次に、インナーハウジング２０及びシールドケーブル１００の端部をベース４１に配置し、次いで、ベース４１にカバー５１を嵌合して取り付け、シールドシェル４０を組み立てる。
【００５８】
最後に、シールドシェル４０のバレル部８０（圧着片８１，８２）をカシメてシールド導体１３０の端部に圧着させ、シールドケーブル１００の端部にシールドシェル４０を固定する。以上により、シールドコネクタ１０を組み立てることができ、シールドケーブル１００の端部にシールドコネクタ１０を接続することができる。
【００５９】
［実施形態２］
図８〜図１１を参照して、実施形態２のシールドコネクタを説明する。実施形態２のシールドコネクタは、シールド部材の構成が実施形態１と相違する。以下の説明においては、上述した実施形態１との相違点であるシールド部材について中心に説明することとし、実施形態１と共通する点についてはその説明を省略する。
【００６０】
（シールド部材）
実施形態２のシールド部材７０は、図８〜図１１に示すように、第１シールド片７１と第２シールド片７５とを有し、第１シールド片７１と第２シールド片７５の２つの部材で構成されている点が実施形態１のシールド部材６０と異なる。シールド部材７０は、第１シールド片７１と第２シールド片７５とを図１０に示すように組み合わせ、嵌め合わせることにより一体化され、通信線対１２１，１２２の端部に組み付けられる（図９参照）。第１シールド片７１及び第２シールド片７５はそれぞれ１つの導電性の板材から形成されており、板材を折り曲げて組み立てられる（図１０，図１１参照）。
【００６１】
（第１シールド片）
第１シールド片７１は、図１０，図１１に示すように、当接面部７２と、当接面部の両側縁から折り曲げられて形成された一対の第１側面部７３とを有する。図９に示すように、当接面部７２は、通信線対１２１，１２２の並列方向に沿って設けられ、通信線対１２１，１２２の一面側に位置する部分である。第１側面部７３は、当接面部７２の両側縁にそれぞれ設けられ、通信線対１２１，１２２の並列方向の両側に位置する部分である。第１シールド片７１は、シールド部材７０の軸方向から見た端面の形状が略］状である。
【００６２】
第１シールド片７１の第１側面部７３の先端には、後述する第２シールド片７５の対向面部７６に形成された嵌合孔７０ｈに挿通される爪部７０ｆが設けられている。爪部７０ｆは、図１１に示すように、第１側面部７３の端縁から突出して形成されている。
【００６３】
（第２シールド片）
第２シールド片７５は、対向面部７６と、対向面部７６の両側縁から折り曲げられて形成され、第１シールド片７１の各第１側面部７３と重なり合う一対の第２側面部７７とを有する。対向面部７６は、通信線対１２１，１２２を挟んで当接面部７２と対向する部分である。第２側面部７７は、対向面部７６の両端縁にそれぞれ設けられ、通信線対１２１，１２２の並列方向の両側に位置する部分である。第１シールド片７１と第２シールド片７５とを組み合わせてシールド部材７０を構成したとき、対向面部７６の両側縁に設けられた各第２側面部７７が各第１側面部７３と重複し、対向面部７６が両第１側面部７３に連接して設けられる。シールド部材７０では、第１側面部７３と第２側面部７７とが互いに重なり合い、第１側面部７３と第２側面部７７とで側面部が構成されるため、実施形態１のシールド部材６０（図３参照）と異なり、側面部において板材が二重になっている。
【００６４】
また、第２シールド片７５は、通信線対１２１，１２２の間に介在する仕切り部７８を有する。具体的には、対向面部７６において、通信線対１２１，１２２の並列方向の中央部が折り返されて二重になった仕切り部７８が一体に形成されている。つまり、シールド部材７０では、仕切り部７８が対向面部７６に設けられ、対向面部７６から第１シールド片７１の当接面部７２に向かって突出するように、対向面部７６の中央部を略Ｕ字状に折り返して仕切り部７８が形成されている。第２シールド片７５は、シールド部材７０の軸方向から見た端面の形状が略Ｍ字状である。
【００６５】
第２シールド片７５の対向面部７６には、図１１に示すように、第１側面部７３の先端に設けられた爪部７０ｆが挿通される嵌合孔７０ｈが形成されている。シールド部材７０の組み付け後、図９に示すように爪部７０ｆが嵌合孔７０ｈに挿通された状態で対向面部７６の外面に接するように折り曲げられ、爪部７０ｆが嵌合孔７０ｈから抜けないようになっている。
【００６６】
シールド部材７０では、図９〜図１１に示すように、第２シールド片７５の両第２側面部７７が第１シールド片７１の両第１側面部７３の外側に重複するように設けられている。これに代えて、第２シールド片７５の両第２側面部７７が第１シールド片７１の両第１側面部７３の内側に重複するようにしてもよい。また、第２シールド片７５の対向面部７６に仕切り部７８が設けられているが、第１シールド片７１の当接面部７２に仕切り部７８を形成してもよい。この場合、第１シールド片７１の端面形状が略Ｗ字状になり、第２シールド片７５の端面形状が略］状になる。
【００６７】
シールド部材７０では、第１シールド片７１の第１側面部７３の先端に爪部７０ｆを有し、第２シールド片７５の対向面部７６に嵌合孔７０ｈが形成されている。これに代えて、第２シールド片７５の第２側面部７７の先端に爪部７０ｆを設け、第１シールド片７１の当接面部７２に嵌合孔７０ｈを形成してもよい。この場合、第２シールド片７５の両第２側面部７７を第１シールド片７１の両第１側面部７３の内側に重複するように設けることが挙げられる。
【００６８】
（第１シールド片及び第２シールド片の形成材料）
第１シールド片７１及び第２シールド片７５を形成する導電性の板材としては、実施形態１のシールド部材６０と同様に、銅やアルミニウムといった導電性金属の板材が利用できる。板材のサイズは、所定の形状の第１シールド片７１及び第２シールド片７５が形成されるように適宜設定すればよい。板材の厚さは、シールド性や折り曲げ加工性などを考慮して、例えば０．１ｍｍ以上０．３ｍｍ以下、好ましくは０．１５ｍｍ以上０．２５ｍｍ以下とすることが挙げられる。
【００６９】
（シールド部材の組み付け方法）
図１２を参照して、シールド部材７０の組み付け方法の一例を説明する。ここでは、通信線対１２１，１２２の並列方向を横方向（左右方向）とし、その方向に直交する方向を縦方向（上下方向）とする。まず、導電性の板材を所定の形状に切断して折り曲げることにより第１シールド片７１と第２シールド片７５とを形成する（図１１参照）。図１２の上図に示すように、第１シールド片７１の当接面部７２が通信線対１２１，１２２の一面側（図１２では、下面側）に位置し、第１側面部７３が通信線対１２１，１２２の左右両側に対向して位置するように、第１シールド片７１を通信線対１２１，１２２の下側に配置する。次に、図１２の中図に示すように、第２シールド片７５の対向面部７６が通信線対１２１，１２２を挟んで当接面部７２と対向し、両第２側面部７７が両第１側面部７３の左右外側に重なり合うように、第１シールド片７１の上方から第２シールド片７５を嵌め合わせる。
【００７０】
最後に、図１２の下図に示すように、各第１側面部７３の先端に設けた両爪部７０ｆを対向面部７６に形成した嵌合孔７０ｈに挿通し、両爪部７０ｆの先端を左右内側に折り曲げて係合する。以上により、シールド部材７０を組み立てることができ、シールドケーブル１００の端部において、露出する通信線対１２１，１２２の端部にシールド部材７０を組み付けることができる（図８，図９参照）。
【００７１】
（作用効果）
シールド部材７０を備える実施形態２のシールドコネクタ１０であっても、上述した実施形態１と同様の効果を奏することができる。具体的には、シールドケーブル１００の端部において、露出する通信線対１２１，１２２の端部の周囲が全周に亘ってシールド部材７０で覆われる。したがって、通信線対１２１，１２２の端部が露出するケーブル端部での、インピーダンスの不整合を小さくでき、通信品質の低下を抑制できる。さらに、シールド部材７０に通信線１２１，１２２の間に介在する仕切り部７８が設けられていることから、通信線対１２１，１２２のインピーダンスを低くできる。シールド部材７０では、仕切り部７８が折り返されて形成され、二重になっているため、通信線対１２１，１２２のインピーダンスをより低減できる。
【００７２】
シールド部材７０は、第１シールド片７１と第２シールド片７５とで構成され、第１側面部７３と第２側面部７７とが互いに重なり合うように第１シールド片７１と第２シールド片７５とを嵌め合わせることで容易に組み立てることができる。シールド部材７０では、第１シールド片７１の第１側面部７３と第２シールド片７５の第２側面部７７とが重なり合って側面部が構成されるため、側面部において板材が二重になっており、シールド性が高い。
【００７３】
また、シールド部材７０は、第１側面部７３の先端に設けられた爪部７０ｆと対向面部７６に形成された嵌合孔７０ｈとの係合により、第１シールド片７１と第２シールド片７５とが強固に接続される。そのため、通信線対１２１，１２２の端部からシールド部材７０が脱落することを抑制できる。また、爪部７０ｆと嵌合孔７０ｈとの係合により、第１シールド片７１と第２シールド片７５とを互いに位置決めできる。
【００７４】
［変形例２−１］
図１３〜図１５を参照して、変形例２−１のシールドコネクタを説明する。変形例２−１のシールドコネクタは、シールド部材の係合構造が実施形態２と相違する。以下、上述した実施形態２のシールドコネクタにおけるシールド部材との相違点を中心に説明し、実施形態２と同様の構成については重複する説明を省略する。
【００７５】
変形例２−１のシールド部材７０は、図１３〜図１５に示すように、第１シールド片７１の第１側面部７３に第２シールド片７５の第２側面部７７に向かって突出する突起７０ｐを有する。一方、第２シールド片７５の第２側面部７７には、突起７０ｐが嵌合される嵌合孔７０ｈが形成されている。
【００７６】
図１３〜図１５に示すシールド部材７０では、両第１側面部７３の外側にそれぞれ突起７０ｐが設けられ、両第１側面部７３の外面から突出するように突起７０ｐが形成されている。各突起７０ｐは、打ち出し（叩き出し）により形成され、当接面部７２側（下方）に向かって膨出するようにドーム状に形成されている。第１側面部７３の外面からの突起７０ｐの突出量は、第２側面部７７の厚さ以下であり、突起７０ｐは嵌合孔７０ｈ内に収まるようになっている。
【００７７】
この例では、第１シールド片７１の第１側面部７３の外側に突起７０ｐを有し、第２シールド片７５の第２側面部７７に嵌合孔７０ｈが形成されている。これとは逆に、第２側面部７７の内側に突起７０ｐを設け、第１側面部７３に嵌合孔７０ｈを形成してもよい。図１４に示すように、第１側面部７３及び第２側面部７７のうち、内側に位置する第１側面部７３に突起７０ｐを設けると共に外側に位置する第２側面部７７に嵌合孔７０ｈを形成することが好ましい。このようにすることで、第１シールド片７１と第２シールド片７５とを嵌め合わせた際に、シールド部材７０の外側から突起７０ｐが嵌合孔７０ｈに嵌合したことを目視で確認することが可能である。
【００７８】
変形例２−１のシールド部材７０では、突起７０ｐと嵌合孔７０ｈとの係合により、第１シールド片７１と第２シールド片７５とが強固に接続され、通信線対１２１，１２２の端部からシールド部材７０が脱落することを抑制できる。また、突起７０ｐと嵌合孔７０ｈとの係合により、第１シールド片７１と第２シールド片７５とを互いに位置決めできる。
【００７９】
変形例２−１では、第１シールド片７１と第２シールド片７５とを嵌め合わせた際に突起７０ｐと嵌合孔７０ｈとが嵌合されることになるため、実施形態２に比較してシールド部材の組み立てが容易である。
【産業上の利用可能性】
【００８０】
本発明のシールドコネクタ及びコネクタ付きシールドケーブルは、高速通信用のシールドケーブルに好適に利用可能である。
【符号の説明】
【００８１】
１  コネクタ付きシールドケーブル
１０  シールドコネクタ
２０  インナーハウジング
２１  本体部
２２  端子
２３  端子孔
２５  凸部
３１  配置部
４０  シールドシェル
４０ｃ  ケーブル挿入部
４１  ベース
４２  底板部
４３  ベース側板部
４４  突起
４５  係合孔
５１  カバー
５２  上板部
５３  カバー側板部
５４  嵌合孔
６０  シールド部材
６２  当接面部
６３  側面部
６６  対向面部
６８  仕切り部
６０ｆ  爪部
６０ｈ  嵌合孔
７０  シールド部材
７１  第１シールド片
７２  当接面部
７３  第１側面部
７５  第２シールド片
７６  対向面部
７７  第２側面部
７８  仕切り部
７０ｆ  爪部
７０ｐ  突起
７０ｈ  嵌合孔
８０  バレル部
８１，８２  圧着片
８５  突出片
１００  シールドケーブル
１１０  電線
１１１  導体
１１２  絶縁被覆
１２１，１２２  通信線
１２３  ドレイン線
１２４，１２５  通信線
１２６  電源線
１２７  グランド線
１３０  シールド導体
１４０  シース
【図１】
2017126499.tif 000003
【図２】
2017126499.tif 000004
【図３】
2017126499.tif 000005
【図４】
2017126499.tif 000006
【図５】
2017126499.tif 000007
【図６】
2017126499.tif 000008
【図７】
2017126499.tif 000009
【図８】
2017126499.tif 000010
【図９】
2017126499.tif 000011
【図１０】
2017126499.tif 000012
【図１１】
2017126499.tif 000013
【図１２】
2017126499.tif 000014
【図１３】
2017126499.tif 000015
【図１４】
2017126499.tif 000016
【図１５】
2017126499.tif 000017